【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
電流が流れる際に発光する発光手段と、
前記発光手段と直列に結合される電流制御手段と、
第１のスイッチング信号によって制御される第１のスイッチング手段を介して前記電流制御手段の制御電極に結合される制御線と、を備える発光ディスプレイの素子であって、
前記制御線は、第２のスイッチング信号によって制御される第２のスイッチング手段を介して前記電流制御手段および前記発光手段の共通の回路ポイントに結合され、電流および／または電圧を測定する手段と直流電流および／または直流電圧を付与する手段とにそれぞれ切り替え可能に結合される、前記素子。
【請求項２】
第１のスイッチング手段が前記制御線と前記電流制御手段の前記制御電極との結合を解除する場合には前記制御信号が保持されるように、信号保持手段が前記電流制御手段の前記制御電極に結合される、請求項１に記載の素子。
【請求項３】
前記制御線は、第１の動作モードにおいて制御信号を前記電流制御手段に付与するために使用され、第２の動作モードにおいて前記電流制御手段および／または前記発光手段の電気的パラメータを測定するために使用される、請求項１または２に記載の素子。
【請求項４】
当該素子に結合されたメモリを有し、該メモリは測定された電気的パラメータを検索可能に保持する請求項１〜３のうちいずれか一項に記載の素子。
【請求項５】
前記メモリに保持された電気的パラメータを検索および評価し、当該検索および評価された電気的パラメータを用いて生成した制御信号を前記制御線に付与する制御回路が設けられる請求項４に記載の素子。
【請求項６】
請求項１〜５のいずれか一項に記載の素子が行および／または列に配列された発光ディスプレイ。
【請求項７】
前記制御線が行および／または列に配列された複数の素子に結合されている請求項６に記載の発光ディスプレイ。
【請求項８】
共通の第１および／または第２のスイッチング信号が行および／または列に配列された素子の複数の第１および／または第２のスイッチング手段に供給される請求項７に記載の発光ディスプレイ。
【請求項９】
直流電圧の点において、前記制御線は、当該制御線に直流電圧または直流電流を付与する制御回路に結合される請求項６〜８のいずれか１項に記載の発光ディスプレイ。
【請求項１０】
請求項１〜５のいずれか１項に記載の発光ディスプレイの素子の動作方法であって、
第１の動作モードにおいて前記発光手段による光の照射を発生させる制御信号が前記素子に付与され、第２の動作モードにおいて前記素子の各コンポーネントの電気的パラメータが測定され、
前記第１の動作モードは、
前記第１のスイッチング手段を閉じるステップと、
前記メモリに保持された電気的パラメータを考慮して発生させた、所望の光束に対応する制御信号を、前記制御線を介して前記電流制御手段に付与するステップと、
前記第１のスイッチング手段を開くステップと、を含み、
前記第２の動作モードは、
前記第１および第２のスイッチング手段を閉じるステップと、
電流を測定する手段を介して前記制御線を基準電位に結合するステップと、
前記電流制御手段を流れる電流を測定するステップと、
測定された電流を前記メモリに格納するステップと、
前記第１および第２のスイッチング手段を開くステップと、
を含む、前記動作方法。
【請求項１１】
請求項２〜５のいずれか１項に記載の発光ディスプレイの素子の動作方法であって、
第１の動作モードにおいて前記発光手段による光の照射を発生させる制御信号が前記素子に付与され、第２の動作モードにおいて前記素子の各コンポーネントの電気的パラメータが測定され、
前記第１の動作モードは、
前記第１のスイッチング手段を閉じるステップと、
所定の制御信号を前記電流制御手段に関連づけられた電流保持手段に格納するステップと、
前記第１のスイッチング手段を開くステップと、を含み、
前記第２の動作モードは、
前記第２のスイッチング手段を閉じるステップと、
電流を測定する手段を介して前記制御線を基準電位に結合するステップと、
前記電流制御手段を介して電流を測定するステップと、
測定された電流を前記メモリに格納するステップと、
前記第２のスイッチング手段を開くステップと、
を含む、前記動作方法。
【請求項１２】
請求項２〜５のいずれか１項に記載の発光ディスプレイの素子の動作方法であって、
第１の動作モードにおいて前記発光手段による光の照射を発生させる制御信号が前記素子に付与され、第２の動作モードにおいて前記素子の各コンポーネントの電気的パラメータが測定され、
前記第１の動作モードは、
前記第１のスイッチング手段を閉じるステップと、
所定の制御信号を前記電流制御手段に関連づけられた電流保持手段に格納するステップと、
前記第１のスイッチング手段を開くステップと、を含み、
前記第２の動作モードは、
前記第２のスイッチング手段を閉じるステップと、
前記制御線を電圧を測定する手段に結合するステップと、
前記発光手段および電流制御手段の共通の回路ノードで電圧を測定するステップと、
測定された電圧を前記メモリに格納するステップと、
前記前記第２のスイッチング手段を開くステップと、
を含む、前記動作方法。
【請求項１３】
前記様々な所定値の制御信号について、当該動作方法を繰り返して実行する請求項１１または１２に記載の動作方法。
【請求項１４】
測定された電気的パラメータを制御回路に供給するステップをさらに含み、前記制御回路は、前記測定された電気的パラメータを用いて前記第１のスイッチング手段および／または前記発光手段の特性曲線のファミリーを計算する請求項１０から１３のいずれか１項に記載の動作方法。
【請求項１５】
前記発光ディスプレイの個々の素子または素子のグループのための供給電圧を個々のコンポーネントまたはコンポーネントのグループの測定された電気的パラメータに依存して設定するステップをさらに含む請求項１０から１４のいずれか１項に記載の動作方法。
【手続補正２】
【補正対象書類名】明細書
【補正対象項目名】００２８
【補正方法】変更
【補正の内容】
【００２８】
特許請求の範囲と実施例との対応関係を図面で使われている参照番号で示すと次の通りである。
（１）  電流ｉＯＬＥＤが流れる際に発光する発光手段８と、
前記発光手段８と直列に結合される電流制御手段４と、
第１のスイッチング信号によって制御される第１のスイッチング手段１０を介して前記電流制御手段４の制御電極に結合される制御線Ｓと、を備える発光ディスプレイの素子であって、
前記制御線Ｓは、第２のスイッチング信号によって制御される第２のスイッチング手段を介して前記電流制御手段４および前記発光手段８の共通の回路ポイントに結合され、電流および／または電圧を測定する手段と直流電流および／または直流電圧を付与する手段とにそれぞれ切り替え可能に結合される、前記素子。
（２）  第１のスイッチング手段１０が前記制御線Ｓと前記電流制御手段４の前記制御電極との結合を解除する場合には前記制御信号が保持されるように、信号保持手段６が前記電流制御手段４の前記制御電極に結合される、（１）に記載の素子。
（３）  前記制御線Ｓは、第１の動作モードにおいて制御信号を前記電流制御手段４に付与するために、第２の動作モードにおいて前記電流制御手段４および／または前記発光手段８の電気的パラメータを測定するために、使用される（１）または（２）に記載の素子。
（４）  当該素子に結合されたメモリを有し、該メモリは測定された電気的パラメータを検索可能に保持する（１）〜（３）のうちいずれか一項に記載の素子。
（５）  前記メモリに保持された電気的パラメータを検索および評価し、当該検索および評価された電気的パラメータを用いて生成した制御信号を前記制御線Ｓに付与する制御回路が設けられる（４）に記載の素子。
（６）  （１）〜（５）のいずれか一項に記載の素子が行および／または列に配列された発光ディスプレイ。
（７）  前記制御線Ｓが行および／または列に配列された複数の素子に結合されている（６）に記載の発光ディスプレイ。
（８）  共通の第１および／または第２のスイッチング信号が行および／または列に配列された素子の複数の第１および／または第２のスイッチング手段１０、１２に供給される（７）に記載の発光ディスプレイ。
（９）  直流電圧の点において、前記制御線は、当該制御線に直流電圧または直流電流を付与する制御回路に結合される（６）〜（８）のいずれか１項に記載の発光ディスプレイ。
（１０）  （１）〜（５）のいずれか１項に記載の発光ディスプレイの素子の動作方法であって、
第１の動作モードにおいて前記発光手段８による光の照射を発生させる制御信号が前記素子に付与され、第２の動作モードにおいて前記素子の各コンポーネント４、８の電気的パラメータが測定され、
前記第１の動作モードは、
前記第１のスイッチング手段１０を閉じるステップと、
前記メモリに保持された電気的パラメータを考慮して発生させた所望の光束に対応する制御信号を前記制御線Ｓを介して前記電流制御手段４に付与するステップと、
前記第１のスイッチング手段１０を開くステップと、を含み、
前記第２の動作モードは、
前記第１および第２のスイッチング手段１０、１２を閉じるステップと、
電流を測定する手段を介して前記制御線Ｓを基準電位に結合するステップと、
前記電流制御手段４を流れる電流を測定するステップと、
測定された電流を前記メモリに格納するステップと、
前記第１および第２のスイッチング手段１０、１２を開くステップと、
を含む、前記動作方法。
（１１）  （２）〜（５）のいずれか１項に記載の発光ディスプレイの素子の動作方法であって、
第１の動作モードにおいて前記発光手段８による光の照射を発生させる制御信号が前記素子に付与され、第２の動作モードにおいて前記素子の各コンポーネント４、８の電気的パラメータが測定され、
前記第１の動作モードは、
前記第１のスイッチング手段１０を閉じるステップと、
所定の制御信号を前記電流制御手段４に関連づけられた電流保持手段６に格納するステップと、
前記第１のスイッチング手段１０を開くステップと、を含み、
前記第２の動作モードは、
前記第２のスイッチング手段１２を閉じるステップと、
電流を測定する手段を介して前記制御線Ｓを基準電位に結合するステップと、
前記電流制御手段４を介して電流を測定するステップと、
測定された電流を前記メモリに格納するステップと、
前記第２のスイッチング手段１２を開くステップと、
を含む、前記動作方法。
（１２）  （２）〜（５）のいずれか１項に記載の発光ディスプレイの素子の動作方法であって、
第１の動作モードにおいて前記発光手段８による光の照射を発生させる制御信号が前記素子に付与され、第２の動作モードにおいて前記素子の各コンポーネント４、８の電気的パラメータが測定され、
前記第１の動作モードは、
前記第１のスイッチング手段１０を閉じるステップと、
所定の制御信号を前記電流制御手段４の前記電流保持手段６に格納するステップと、
前記第１のスイッチング手段１０を開くステップと、を含み、
前記第２の動作モードは、
前記第２のスイッチング手段１２を閉じるステップと、
前記制御線Ｓを電圧を測定する手段に結合するステップと、
前記発光手段および電流制御手段の共通の回路ノードで電圧を測定するステップと、
測定された電圧を前記メモリに格納するステップと、
前記前記第２のスイッチング手段１２を開くステップと、
を含む、前記動作方法。
（１３）  前記様々な所定値の制御信号について、当該動作方法を繰り返して実行する（１１）または（１２）に記載の動作方法。
（１４）  測定された電気的パラメータを制御回路に供給するステップをさらに含み、前記制御回路は、前記測定された電気的パラメータを用いて前記第１のスイッチング手段４および／または前記発光手段８の特性曲線のファミリーを計算する（１０）から（１３）のいずれか１項に記載の動作方法。
（１５）  前記発光ディスプレイ１００の個々の素子または素子のグループのための供給電圧を個々のコンポーネントまたはコンポーネント４、８のグループの測定された電気的パラメータに依存して設定するステップをさらに含む（１０）から（１４）のいずれか１項に記載の動作方法。
以下、図面を参照して本発明をより詳細に説明する。